(57)【要約】【課題】  本発明は、風車の支持枠体における支柱に当たる風が、支柱の角部を通過する時に渦流を生じ、ブレードの回転速度に影響を与えることを抑止するようにした、風車の支持枠体を提供することを目的としている。【解決手段】  風車の支持枠体１を構成する型材３であって、表面の少なくとも角部に微小凹凸１２を形成する。  【選択図】  図１
2018017209.tif 000002
【特許請求の範囲】
【請求項１】
風車の支持枠体を構成する型材であって、表面の少なくとも角部に微小凹凸を形成したことを特徴とする風車の支持枠体。
【請求項２】
前記型材は平面視Ｌ型の鋼材であって、凹部に詰装材を詰装固定するとともに、周囲の少なくとも角部分に、微小凹凸を形成したことを特徴とする請求項１に記載の風車の支持枠体。    
【請求項３】
前記微小凹凸は、静電植毛で形成されていることを特徴とする請求項１に記載の風車の支持枠体。
【請求項４】
前記微小凹凸は、織物を接着して、織物の糸と織目穴で形成されていることを特徴とする請求項１に記載の風車の支持枠体。
【請求項５】
前記微小凹凸は、起毛加工した織物を接着して形成されていることを特徴とする請求項１〜４のいずれかに記載の風車の支持枠体。
【請求項６】
前記微小凹凸は、静電植毛をした織物を接着して形成されていることを特徴とする請求項１〜４のいずれかに記載の風車の支持枠体。  
【請求項７】
前記微小凹凸は、撥水処理が施されていることを徳町とする請求項１〜６のいずれかに記載の風車の支持枠体。
【発明の詳細な説明】
【技術分野】
【０００１】
本発明は、風車の支持枠体に係り、特に風車の回転時において、支持枠体に当たる風が乱流を発生し、騒音を発生したり、あるいはブレードの回転に影響を及ぼしたりすることのないようにした、風車の支持枠体に関する。
【背景技術】
【０００２】
風車の支持枠体は、例えば特許文献１に記載されているように、複数の支持柱と、上下に複数段の支持枠とで櫓状に組まれている。
【先行技術文献】
【特許文献】
【０００３】
【特許文献１】特開２００５−１８８４６８号公報
【発明の概要】
【発明が解決しようとする課題】
【０００４】
特許文献１に記載の支持枠体の材料として、Ｌ型鋼材やロ型鋼材を使用する例がある。この中で特にＬ型鋼材では、二手に分かれた先端に風が当たると乱気流が生じて、騒音が発生したり、ブレードの回転速度に影響を及ぼす虞がある。本発明は、これらの材料を使用した支持枠体に当って通過する気流が、可及的に乱気流とならないようにした、風車の支持枠体を提供することを目的とするものである。
【課題を解決するための手段】
【０００５】
本発明は、前記課題を解決するために、次のような技術的手段を講じた。具体的な内容は、次の通りである。      
【０００６】
（１） 風車の支持枠体を構成する型材であって、表面の少なくとも角部に、微小凹凸を形成したことを特徴とする風車の支持枠体。
【０００７】
（２）前記型材は平面視Ｌ型の鋼材であって、凹部に詰装材を詰装固定するとともに、周囲の少なくとも角部分に、微小凹凸を形成した前記（1）に記載の風車の支持枠体。    
【０００８】
（３）前記微小凹凸は、静電植毛で形成されている前記（1）に記載の風車の支持枠体。
【０００９】
（４）前記微小凹凸は、織物を接着して、織物の糸と織目穴で形成されている前記（1）に記載の風車の支持枠体。
【００１０】
（５）前記微小凹凸は、起毛加工した織物を接着して形成されている前記（1）〜（4）のいずれかに記載の風車の支持枠体。
【００１１】
（６）前記微小凹凸は、静電植毛をした織物を接着して形成されている前記（1）〜（4）のいずれかに記載の風車の支持枠体。
【００１２】
（７）前記微小凹凸は、撥水処理が施されている前記（1）〜（6）のいずれかに記載の風車の支持枠体。
【発明の効果】
【００１３】
本発明によると、次のような効果が奏せられる。
【００１４】
前記（1）に記載の発明は、風車の支持枠体を構成する型鋼材の表面の、少なくとも角部に微小凹凸を形成したので、風が支持枠体に当って通過する時に、角部において渦流が生じず、渦流によって風車のブレードに当る気流が乱れることがなく、その回転効率を高めることができる。
【００１５】
前記（2）に記載の発明においては、支持枠体を構成する平面視Ｌ型鋼材の、凹部に詰装材を詰装固定するとともに、周囲の少なくとも角部分に、微小凹凸を形成したので、Ｌ型における平板状の端部で生じる乱気流の発生がなくなり、かつ全体としても、角部の表面に微小凹凸が形成されているので、角部表面における渦流の発生もなくなるとともに、ブレードに乱気流が当たることはなく、効率のよい回転をさせることができる。
【００１６】
前記（3）に記載の発明では、微小凹凸を、静電植毛で形成するようにしたので、風の通過もよく、植毛の揺れによって風の通過による渦流の発生もなく、風をそのまま通過させて、ブレードの回転効率を高めることができる。
【００１７】
前記（4）に記載の発明においては、微小凹凸を、織物の糸と織目穴で形成するようにしたので、広い面積に対して微小凹凸を容易に形成することができる。
【００１８】
前記（5）に記載の発明においては、微小凹凸を、起毛加工した織物を接着して形成するようにしたので、起毛された繊維が植毛と同様な作用効果を生じさせ、ブレードの回転効率を高めることができる。
【００１９】
前記（6）に記載の発明においては、微小凹凸を、静電植毛をした織物を接着することにより形成するので、静電植毛が容易であり、広い面積に容易に適用することがてせき、かつ作業性にも優れている。
【００２０】
前記（7）に記載の発明においては、微小凹凸が、撥水処理が施されているので、
雨水や雪が付着しにくく、気流の乱れを生じさせない機能を保持させる。
【図面の簡単な説明】
【００２１】
【図１】本発明の風車の支持枠体の一実施形態の正面図である。
【図２】図１における支柱の横断平面図である。
【図３】織物による微小凹凸部分の拡大横断平面図である。
【図４】図３における織物の平面図である。
【図５】起毛織物による微小凹凸部分の拡大横断平面図である。
【発明を実施するための形態】
【００２２】
本発明の一実施形態を図面を参照して説明する。図１は、本発明の風車の支持枠体の正面図であり、図２は、支柱の横断平面図である。
支持枠体１は、方形の基礎枠２の四隅に支柱３、３を立設し、その上に方形の軸受枠４を支持し、この上の軸受枠４の四隅に支柱３を立設して、軸受枠４を複数、段層状に固定して形成されている。
【００２３】
軸受枠４は、四角の外枠内４Ａの中央部において、軸受５をクロス状の支持杆４Ｂで支持している。上下の軸受５によって、長い縦主軸６が支持され、縦主軸の下部は、発電機７の図示しない主軸に連結されている。
【００２４】
上下の軸受枠４、４の間における縦主軸６には、それぞれ風車のロータ８が配設されている。ロータ８は、縦主軸６に固定された上下の支持板９、９に、それぞれ水平に固定された支持腕１０の先端に、縦長の揚力型ブレード１１、１１を固定して形成されている。揚力型ブレード１１の上下端部は、縦主軸６方向に傾斜する傾斜部１１Ａとされている。
【００２５】
揚力型ブレード１１は風を受けて回転し、コアンダ効果により加速され、中央部から傾斜部１１Ａへ異動する気流は、傾斜部１１Ａを回転方向に回転させる。
この場合、支持枠体１の支柱３が、例えばＬ型鋼材であると、角部で乱気流が生じて、ブレード１１が乱気流を受けると回転効率が伸びないが、本発明によると、この問題が解決されている。
【００２６】
図２は、支柱３の拡大横断平面図であり、Ｌ型鋼材３Ａの凹部に、発泡樹脂の詰装体３Ｂを詰装固定した状態を示している。また表面の少なくとも角部に、植毛によって、微小凹凸１２を形成してある。植毛は、静電植毛のほか任意の方法で実施しうる。
【００２７】
図３は、微小凹凸１２を織物１３によって形成した態様を示す、横断拡大平面図である。織物１３は、経糸１３Ａと緯糸１３Ｂをもって、織目の粗い平組織とされており、これを支柱３の表面に接着剤１４で接着してある。
【００２８】
図４に示すように、織物１３は、支柱３表面に接着剤１４で接着すると、経糸１３Ａと緯糸１３Ｂの部分が凸部となり、織目穴の部分が凹部となる微小凹凸１２となる。そのため幅の広いものを製造することができ、大形のブレード等にも接着して使用することができる。
【００２９】
織物１３は、起毛機によって表面を引き掻いて、毛羽を引出すことによって、図５に示すように、起毛１３Ｃが生じさせられている。この起毛織物１３を支柱３の表面に接着することによって、容易に微小凹凸１２を形成することができる。
【００３０】
なお、この起毛織物に換えて、ビロード織物や、静電植毛をした織物を使用することができる。これら微小凹凸１２部は、任意の方法によって撥水処理を施すことによって、雨水や雪などの付着が抑止され、本来の機能を保持させる。
【００３１】
前記においては、支柱３について説明したが、軸受枠４についても、少なくとも角部に微小凹凸１２を形成することができる。必要に応じて、縦主軸６の表面にも微小凹凸１２を形成することがある。
なお、図１においては縦軸風車が示されているが、横軸風車にも当然に適用することができる。
【産業上の利用可能性】
【００３２】
この発明は、風車の支持枠体の少なくとも角部に、微小凹凸を形成したので、支持枠体によって乱流が生じて、ブレードの回転速度が上がりにくいということがなく、風力発電装置に使用して、効率の良い発電をさせることができる。
【符号の説明】
【００３３】
１．風車の支持枠体
２．基枠
３．支柱
３Ａ．Ｌ型鋼材
３Ｂ．詰装材
４．軸受枠
４Ａ．外枠
４Ｂ．軸受支持杆
５．軸受
６．縦主軸
７．発電機
８．ロータ
９．支持板
10.支持腕
11.揚力型ブレード
12.微小凹凸
13.織物
13Ａ.経糸
13Ｂ.緯糸
13Ｃ.起毛
14.接着剤
【図１】
2018017209.tif 000003
【図２】
2018017209.tif 000004
【図３】
2018017209.tif 000005
【図４】
2018017209.tif 000006
【図５】
2018017209.tif 000007